(57)【要約】【課題】本発明は新型のペット用茶碗を開示した。【解決手段】本体を含み、前記本体の中には上方に開口した水溝が設けられ、前記水溝の外周には昇降溝が相通するように設けられ、前記昇降溝の左上側にはロッキング装置が設置され、前記昇降溝の中には昇降板がスライドできるように設けられ、前記昇降板の下端面の下側の左右両端と前記昇降溝の下壁との間には伸縮ばねが固定的に連結され、本発明は構造が簡単で、操作が便利で、倒立給水設置により、初期状態の時、ペットの茶碗には少量の水しかなく、子供やペットがぶつかって水をこぼして床が濡れてしまい、掃除しにくくなる上に滑って転ぶことを防止し、清潔面と安全面も考慮しており、その後、倒立構造において限界水位を設置することで、ペットによる誤操作の場合、装置内部構造によって貯水チャンバ内の水が水溝に流れ込み、溢れてしまうことを避ける。【選択図】図１
2020156459.tif 000002
【特許請求の範囲】
【請求項１】
本体を含み、前記本体の中には上方に開口した水溝が設けられ、前記水溝の外周には昇降溝が相通するように設けられ、前記昇降溝の左上側にはロッキング装置が設置され、前記昇降溝の中には昇降板がスライドできるように設けられ、前記昇降板の下端面の下側の左右両端と前記昇降溝の下壁との間には伸縮ばねが固定的に連結され、前記水溝の外周には環状貯水チャンバが設置され、前記貯水チャンバと前記水溝との間には左右対称の案内溝が連通するように設けられ、前記水溝の中にはプレス板が設けられ、前記プレス板の下端には連結ブロックが固定的に設置され、前記水溝の下側にはバルブ制御装置が設けられ、前記連結ブロックの下端と前記バルブ制御装置とが当接し、前記水溝の下側には右方に開口した収縮チャンバが設けられ、前記収縮チャンバの中には下端面が歯型である移動茶碗がスライドできるように設けられ、前記移動茶碗の中には上方に開口した餌溝が設けられ、前記収縮チャンバの前後端には開口が相対している移動スライド溝が対称のように設けられ、前記移動茶碗の前後端には前記移動スライド溝の中に挿入される移動ブロックが固定的に設置され、前記収縮チャンバの下側には下方に開口し、且つ右向きの開き溝が相通するように設置され、前記移動茶碗の下端には前記開き溝の中に挿入されるサポートブロックが固定的に設置され、前記サポートブロックの中には下方に開口した移動回転溝が設けられ、前記移動回転溝の中には移動転輪が回転できるように設けられ、前記収縮チャンバの上側には餌保存チャンバが設けられ、前記餌保存チャンバと前記収縮チャンバの間には餌輸送溝が連通するように設けられ、前記餌輸送溝の外周には封閉装置が設けられ、前記移動茶碗が右へ外界まで移動して前記封閉装置を作動させて前記餌輸送溝を開け、これにより前記餌保存チャンバの中の餌が自動的に前記餌溝の中に輸送されることを特徴とする新型のペット用茶碗。
【請求項２】
前記ロッキング装置は前記昇降溝と相通し、且つ下方に開口した伝動溝を含み、前記伝動溝の中には下端が前記伝動溝の中に挿入される伝動ブロックがスライドできるように設けられ、前記伝動ブロックの右端面には第一復帰部品が設けあれ、前記伝動溝の左側には伝動回転溝が相通するように設けられ、前記伝動回転溝の中には伝動転輪が伝動回転軸を通じて回転できるように設けられ、前記案内溝の下側には動力転換装置が設けられ、
前記バルブ制御装置は前記水溝の下壁と相通するプレス溝を含み、前記連結ブロックの下端が前記プレス溝の中に挿入され、且つ前記プレス溝の下壁との間にはプレスばねが固定的に連結され、前記連結ブロックの左右両側の下端には開口が逆であるストップ溝が固定的に設置され、前記プレス溝の右側には緩和回転溝が相通するように設置され、前記緩和回転溝の中には左端が前記連結ブロックと噛み合って連結される回転歯車が回転できるように設けられ、前記緩和回転溝の中の端壁には前記回転歯車と当接する緩和摩擦マットが固定的に設置され、前記プレス溝にはスライドバー溝が左右対称に設置され、前記スライドバー溝の中には相対している一端が前記ストップ溝の中に挿入される連結スライドバーがスライドできるように設けられ、前記連結スライバーの上端面には第二復帰部品が設けられ、前記スライドバー溝と前記ガイド溝との間にはバルブ制御スライド溝が連通するように設けられ、前記バルブ制御スライド溝の中にはバルブ制御スライドブロックがスライドできるように設けられ、前記バルブ制御スライドブロックの下端と前記バルブ制御スライド溝の下壁との間には押圧ばねが固定的に連結され、前記バルブ制御スライドブロックの中には左右に貫通した斜面溝が設けられ、前記案内溝の上側には空溝が相通するように設けられ、前記バルブ制御スライドブロックの上端が前記空溝の中に挿入され、前記バルブ制御スライドブロックの上端には左右に貫通した流通溝が設けられることを特徴とする請求項１に記載の新型のペット用茶碗。
【請求項３】
前記動力転換装置は動力モータを含み、前記動力モータの右端には動力回転軸が伝動できるように連結され、前記動力モータの右側には傘歯車チャンバが設けられ、前記動力回転軸が前記傘歯車チャンバの中に挿入され、且つ前記動力回転軸には第一傘歯車が固定的に設置され、前記動力モータの左端には動力スプライン軸が伝動できるように連結され、前記動力モータの左側には転換溝が設けられ、前記転換溝の中には転換スライドブロックがスライドできるように設けられ、前記転換スライドブロックの中にはスプラインスリーブが回転できるように設けられ、前記動力スプライン軸の左端が前記転換溝の中に挿入され、且つ前記スプラインスリーブとスプラインによって連結され、前記転換溝の上側には連結スライド溝が相通するように設けられ、前記転換スライドブロックの上端には前記連結スライド溝の中に挿入される連結スライドブロックが固定的に設置され、前記連結スライド溝の上側にはスライド装置が設置され、前記スプラインスリーブの左端が前記伸縮装置とスプラインによって連結され、
前記スライド装置は右側が前記バルブ制御スライド溝と相通し、且つ下側が前記連結スライド溝と連通するスライドチャンバを含み、前記スライドチャンバの中には下端が前記連結スライドブロックと固定的に連結されるスライドブロックがスライドできるように設けられ、前記スライドブロックの左端と前記スライドチャンバの左壁との間には連結ばねが固定的に連結され、前記スライドチャンバの上側には噛合溝が相通するように設けられ、前記噛合溝の中には下端が前記スライドブロックの上端面と噛み合って連結される噛合歯車が噛合回転軸によって回転できるように設けられ、前記噛合回転軸と前記伝動回転軸とがベルトによって連結され、前記スライドブロックの右端壁の中には右方に開口した第二噛合チャンバが設置され、前記第二噛合チャンバの中には右端が前記バルブ制御スライドブロックと噛み合って連結できる伝動歯車が回転できるように設けられ、前記伝動歯車の前端面には第二傘歯車が固定的に設けられ、前記第二噛合チャンバの中には前記第二傘歯車の前端面と噛み合って連結される第三傘歯車が連結回転軸によって回転できるように設けられ、前記スライドチャンバと前記傘歯車チャンバとの間には連結溝が連通するように設けられ、前記連結回転軸の下端が前記連結溝を貫通して前記傘歯車チャンバの中に挿入され、且つ前記連結回転軸の下端には前記第一傘歯車と噛み合って連結される第四傘歯車が固定的に設置され、
前記伸縮装置は前記転換溝と相通した同期ベルト溝を含み、前記同期ベルト溝の中には同期プーリが上下対称に設けられ、前記同期プーリの間が同期ベルトによって伝動できるように連結され、上側の前記同期プーリの軸心の中には左端が前記同期ベルト溝の左端壁と回転できるように連結される枢軸が固定的に設置され、前記枢軸の右端が前記転換溝の中に挿入され、且つ前記スプラインスリーブとスプラインによって連結され、下側の前記同期プーリの軸心のところには左端が前記同期ベルト溝の左端壁と回転できるように連結されるプーリ回転軸が固定的に設置され、前記同期ベルト溝の右側には上方に開口した、前記収縮チャンバと相通した伸縮回転溝が設けられ、前記伸縮回転溝と前記同期ベルト溝との間には回転溝が連通するように設けられ、前記プーリ回転軸の右端が前記伸縮回転溝の中に挿入され、且つ前記プーリ回転軸の右端には第五傘歯車が固定的に設置され、前記第五傘歯車の後端面には第六傘歯車が噛み合って連結され、前記第六傘歯車の後端面には上端が前記移動茶碗と噛み合って連結される連結歯車が固定的に設置されることを特徴とする請求項２に記載の新型のペット用茶碗。
【請求項４】
前記封閉装置は前記餌輸送溝と相通した封閉スライド溝を含み、前記封閉スライド溝の中には前記餌輸送溝を貫通した封閉板がスライドできるように設けられ、前記封閉板の右端面には右端が前記封閉スライド溝の右端壁と固定的に連結される圧出ばねが固定的に設けられ、前記封閉板の中には上下に貫通し、且つ横断面の大きさが前記餌輸送溝と同じの貫通溝が設置され、前記封閉板の左端面には引縄が固定的に設置され、前記封閉スライド溝の左側には糸巻き溝が相通するように設けられ、前記糸巻き溝の中には糸巻き輪が回転できるように設けられ、前記糸巻き溝の下側と前記収縮チャンバとの間にはＴ型溝が連通するように設置され、前記Ｔ型溝の中には下端が前記収縮チャンバの中に挿入されるプッシュブロックがスライドできるように設けられ、前記引縄の下端が前記糸巻き輪を避けて前記Ｔ型溝の中に挿入され、且つ前記プッシュブロックの上端壁と固定的に連結され、前記Ｔ型溝の中の前記プッシュブロックの右端面には右端が前記Ｔ型溝の右端壁と固定的に連結される復帰ばねが固定的に設置されることを特徴とする請求項１に記載の新型のペット用茶碗。
【発明の詳細な説明】
【技術分野】
【０００１】
本発明は食器デザイン技術分野に関し、具体的には新型のペット用茶碗に関する。
【背景技術】
【０００２】
現有のペット茶碗は構造が簡単で、水又は食べ物を放置するのに一つの開放式中空チャンバだけ設置し、使用する時、手動で水又は食べ物をペット用茶碗に加える。しかし、茶碗内の水を一回で飲み干せずまま放置することが多く、飲み残った水をそのまま放置する過程で、水溝の上には蓋がないので、埃などの雑物が入りやすく、水が汚くなり、水の浪費を招く。
また、安全面上では、ペット用茶碗に子供又はペットがぶつかると、茶碗内の水がこぼれ、床が濡れてしまい、地面に歩く人が滑って転ぶかもしれない。
また、ペットが進食している時も、手動でペットの餌を餌溝に入れる必要があり、餌袋からペット用茶碗の中に倒す時、餌が餌溝の外部に落ちることもある上に、全部手動で操ることも面倒くさく、一回の餌の量を把握しにくく、ペットが二匹もいる時、現有のペット用茶碗なら占有する面積が大きく、混雑感がある。
そのため、現有技術におけるペット用茶碗を改善し、ペット用茶碗の便利性と強固性を高めることが必要である。
【先行技術文献】
【特許文献】
【０００３】
【特許文献１】中国特許出願公開第103814830号明細書
【発明の概要】
【発明が解決しようとする課題】
【０００４】
本発明の目的は新型のペット用茶碗を提供し、既存の技術にある上記の欠陥を補うことにある。
【課題を解決するための手段】
【０００５】
本発明の新型のペット用茶碗は、本体を含み、前記本体の中には上方に開口した水溝が設けられ、前記水溝の外周には昇降溝が相通するように設けられ、前記昇降溝の左上側にはロッキング装置が設置され、前記昇降溝の中には昇降板がスライドできるように設けられ、前記昇降板の下端面の下側の左右両端と前記昇降溝の下壁との間には伸縮ばねが固定的に連結され、前記水溝の外周には環状貯水チャンバが設置され、前記貯水チャンバと前記水溝との間には左右対称の案内溝が連通するように設けられ、前記水溝の中にはプレス板が設けられ、前記プレス板の下端には連結ブロックが固定的に設置され、前記水溝の下側にはバルブ制御装置が設けられ、前記連結ブロックの下端と前記バルブ制御装置とが当接し、前記水溝の下側には右方に開口した収縮チャンバが設けられ、前記収縮チャンバの中には下端面が歯型である移動茶碗がスライドできるように設けられ、前記移動茶碗の中には上方に開口した餌溝が設けられ、前記収縮チャンバの前後端には開口が相対している移動スライド溝が対称のように設けられ、前記移動茶碗の前後端には前記移動スライド溝の中に挿入される移動ブロックが固定的に設置され、前記収縮チャンバの下側には下方に開口し、且つ右向きの開き溝が相通するように設置され、前記移動茶碗の下端には前記開き溝の中に挿入されるサポートブロックが固定的に設置され、前記サポートブロックの中には下方に開口した移動回転溝が設けられ、前記移動回転溝の中には移動転輪が回転できるように設けられ、前記収縮チャンバの上側には餌保存チャンバが設けられ、前記餌保存チャンバと前記収縮チャンバの間には餌輸送溝が連通するように設けられ、前記餌輸送溝の外周には封閉装置が設けられ、前記移動茶碗が右へ外界まで移動して前記封閉装置を作動させて前記餌輸送溝を開け、これにより前記餌保存チャンバの中の餌が自動的に前記餌溝の中に輸送される。
【０００６】
さらなる技術プラントして、前記ロッキング装置は前記昇降溝と相通し、且つ下方に開口した伝動溝を含み、前記伝動溝の中には下端が前記伝動溝の中に挿入される伝動ブロックがスライドできるように設けられ、前記伝動ブロックの右端面には第一復帰部品が設けあれ、前記伝動溝の左側には伝動回転溝が相通するように設けられ、前記伝動回転溝の中には伝動転輪が伝動回転軸を通じて回転できるように設けられ、前記案内溝の下側には動力転換装置が設けられ、
前記バルブ制御装置は前記水溝の下壁と相通するプレス溝を含み、前記連結ブロックの下端が前記プレス溝の中に挿入され、且つ前記プレス溝の下壁との間にはプレスばねが固定的に連結され、前記連結ブロックの左右両側の下端には開口が逆であるストップ溝が固定的に設置され、前記プレス溝の右側には緩和回転溝が相通するように設置され、前記緩和回転溝の中には左端が前記連結ブロックと噛み合って連結される回転歯車が回転できるように設けられ、前記緩和回転溝の中の端壁には前記回転歯車と当接する緩和摩擦マットが固定的に設置され、前記プレス溝にはスライドバー溝が左右対称に設置され、前記スライドバー溝の中には相対している一端が前記ストップ溝の中に挿入される連結スライドバーがスライドできるように設けられ、前記連結スライバーの上端面には第二復帰部品が設けられ、前記スライドバー溝と前記ガイド溝との間にはバルブ制御スライド溝が連通するように設けられ、前記バルブ制御スライド溝の中にはバルブ制御スライドブロックがスライドできるように設けられ、前記バルブ制御スライドブロックの下端と前記バルブ制御スライド溝の下壁との間には押圧ばねが固定的に連結され、前記バルブ制御スライドブロックの中には左右に貫通した斜面溝が設けられ、前記案内溝の上側には空溝が相通するように設けられ、前記バルブ制御スライドブロックの上端が前記空溝の中に挿入され、前記バルブ制御スライドブロックの上端には左右に貫通した流通溝が設けられる。
【０００７】
さらなる技術プラントして、前記動力転換装置は動力モータを含み、前記動力モータの右端には動力回転軸が伝動できるように連結され、前記動力モータの右側には傘歯車チャンバが設けられ、前記動力回転軸が前記傘歯車チャンバの中に挿入され、且つ前記動力回転軸には第一傘歯車が固定的に設置され、前記動力モータの左端には動力スプライン軸が伝動できるように連結され、前記動力モータの左側には転換溝が設けられ、前記転換溝の中には転換スライドブロックがスライドできるように設けられ、前記転換スライドブロックの中にはスプラインスリーブが回転できるように設けられ、前記動力スプライン軸の左端が前記転換溝の中に挿入され、且つ前記スプラインスリーブとスプラインによって連結され、前記転換溝の上側には連結スライド溝が相通するように設けられ、前記転換スライドブロックの上端には前記連結スライド溝の中に挿入される連結スライドブロックが固定的に設置され、前記連結スライド溝の上側にはスライド装置が設置され、前記スプラインスリーブの左端が前記伸縮装置とスプラインによって連結され、
前記スライド装置は右側が前記バルブ制御スライド溝と相通し、且つ下側が前記連結スライド溝と連通するスライドチャンバを含み、前記スライドチャンバの中には下端が前記連結スライドブロックと固定的に連結されるスライドブロックがスライドできるように設けられ、前記スライドブロックの左端と前記スライドチャンバの左壁との間には連結ばねが固定的に連結され、前記スライドチャンバの上側には噛合溝が相通するように設けられ、前記噛合溝の中には下端が前記スライドブロックの上端面と噛み合って連結される噛合歯車が噛合回転軸によって回転できるように設けられ、前記噛合回転軸と前記伝動回転軸とがベルトによって連結され、前記スライドブロックの右端壁の中には右方に開口した第二噛合チャンバが設置され、前記第二噛合チャンバの中には右端が前記バルブ制御スライドブロックと噛み合って連結できる伝動歯車が回転できるように設けられ、前記伝動歯車の前端面には第二傘歯車が固定的に設けられ、前記第二噛合チャンバの中には前記第二傘歯車の前端面と噛み合って連結される第三傘歯車が連結回転軸によって回転できるように設けられ、前記スライドチャンバと前記傘歯車チャンバとの間には連結溝が連通するように設けられ、前記連結回転軸の下端が前記連結溝を貫通して前記傘歯車チャンバの中に挿入され、且つ前記連結回転軸の下端には前記第一傘歯車と噛み合って連結される第四傘歯車が固定的に設置され、
前記伸縮装置は前記転換溝と相通した同期ベルト溝を含み、前記同期ベルト溝の中には同期プーリが上下対称に設けられ、前記同期プーリの間が同期ベルトによって伝動できるように連結され、上側の前記同期プーリの軸心の中には左端が前記同期ベルト溝の左端壁と回転できるように連結される枢軸が固定的に設置され、前記枢軸の右端が前記転換溝の中に挿入され、且つ前記スプラインスリーブとスプラインによって連結され、下側の前記同期プーリの軸心のところには左端が前記同期ベルト溝の左端壁と回転できるように連結されるプーリ回転軸が固定的に設置され、前記同期ベルト溝の右側には上方に開口した、前記収縮チャンバと相通した伸縮回転溝が設けられ、前記伸縮回転溝と前記同期ベルト溝との間には回転溝が連通するように設けられ、前記プーリ回転軸の右端が前記伸縮回転溝の中に挿入され、且つ前記プーリ回転軸の右端には第五傘歯車が固定的に設置され、前記第五傘歯車の後端面には第六傘歯車が噛み合って連結され、前記第六傘歯車の後端面には上端が前記移動茶碗と噛み合って連結される連結歯車が固定的に設置される。
【０００８】
さらなる技術プラントして、前記封閉装置は前記餌輸送溝と相通した封閉スライド溝を含み、前記封閉スライド溝の中には前記餌輸送溝を貫通した封閉板がスライドできるように設けられ、前記封閉板の右端面には右端が前記封閉スライド溝の右端壁と固定的に連結される圧出ばねが固定的に設けられ、前記封閉板の中には上下に貫通し、且つ横断面の大きさが前記餌輸送溝と同じの貫通溝が設置され、前記封閉板の左端面には引縄が固定的に設置され、前記封閉スライド溝の左側には糸巻き溝が相通するように設けられ、前記糸巻き溝の中には糸巻き輪が回転できるように設けられ、前記糸巻き溝の下側と前記収縮チャンバとの間にはＴ型溝が連通するように設置され、前記Ｔ型溝の中には下端が前記収縮チャンバの中に挿入されるプッシュブロックがスライドできるように設けられ、前記引縄の下端が前記糸巻き輪を避けて前記Ｔ型溝の中に挿入され、且つ前記プッシュブロックの上端壁と固定的に連結され、前記Ｔ型溝の中の前記プッシュブロックの右端面には右端が前記Ｔ型溝の右端壁と固定的に連結される復帰ばねが固定的に設置される。
【発明の効果】
【０００９】
本発明の有益効果は：本発明は構造が簡単で、操作が便利で、倒立給水設置により、初期状態の時、ペットの茶碗には少量の水しかなく、子供やペットがぶつかって水をこぼして床が濡れてしまい、掃除しにくくなる上に滑って転ぶことを防止し、清潔面と安全面も考慮しており、その後、倒立構造において限界水位を設置することで、ペットによる誤操作の場合、装置内部構造によって貯水チャンバ内の水が水溝に流れ込み、溢れてしまうことを避け、また、水溝の下側には餌溝を設置しており、伸縮装置を通じて餌溝を押し出し、その過程で自動的に餌を餌溝に倒し、前後対称の移動スライドブロック及び移動転輪を通じて押し出された移動茶碗に三角におけるバランスを維持させ、装置の強固度を向上させ、この装置は上下層の方式を採用して水溝と餌溝を設置し。装置本体が占用する面積を節約し、また給水と給食を自動化させ、浪費を防止する上に使用にも便利である。
【図面の簡単な説明】
【００１０】
【図１】図１は本発明の新型のペット用茶碗の内部全体構造概略図
【図２】図２は図１のＡの拡大構造概略図
【図３】図３は図１のＢの拡大構造概略図
【図４】図４は図１のＣの拡大構造概略図
【図５】図５は図１のＤ−Ｄ方向の拡大構造概略図
【発明を実施するための形態】
【００１１】
下記に図１〜５を合わせて本発明について詳しく説明する。意思疎通の便利を図って、下記に記載の上下左右前後方向は図１の投影関係の上下左右前後方向と一致している。
【００１２】
図１〜５を参照し、本発明の新型のペット用茶碗は、本体１０を含み、前記本体１０の中には上方に開口した水溝１１が設けられ、前記水溝１１の外周には昇降溝１２が相通するように設けられ、前記昇降溝１２の左上側にはロッキング装置１００が設置され、前記昇降溝１２の中には昇降板１３がスライドできるように設けられ、前記昇降板１３の下端面の下側の左右両端と前記昇降溝１２の下壁との間には伸縮ばね１４が固定的に連結され、前記水溝１１の外周には環状貯水チャンバ１５が設置され、前記貯水チャンバ１５と前記水溝１１との間には左右対称の案内溝１６が連通するように設けられ、前記水溝１１の中にはプレス板１７が設けられ、前記プレス板１７の下端には連結ブロック１８が固定的に設置され、前記水溝１１の下側にはバルブ制御装置２００が設けられ、前記連結ブロック１８の下端と前記バルブ制御装置２００とが当接し、前記水溝１１の下側には右方に開口した収縮チャンバ１９が設けられ、前記収縮チャンバ１９の中には下端面が歯型である移動茶碗２０がスライドできるように設けられ、前記移動茶碗２０の中には上方に開口した餌溝２１が設けられ、前記収縮チャンバ１９の前後端には開口が相対している移動スライド溝２２が対称のように設けられ、前記移動茶碗２０の前後端には前記移動スライド溝２２の中に挿入される移動ブロック２３が固定的に設置され、前記収縮チャンバ１９の下側には下方に開口し、且つ右向きの開き溝２４が相通するように設置され、前記移動茶碗２０の下端には前記開き溝２４の中に挿入されるサポートブロック２５が固定的に設置され、前記サポートブロック２５の中には下方に開口した移動回転溝２６が設けられ、前記移動回転溝２６の中には移動転輪２７が回転できるように設けられ、前記収縮チャンバ１９の上側には餌保存チャンバ２８が設けられ、前記餌保存チャンバ２８と前記収縮チャンバ１９の間には餌輸送溝２９が連通するように設けられ、前記餌輸送溝２９の外周には封閉装置３００が設けられ、前記移動茶碗２０が右へ外界まで移動して前記封閉装置３００を作動させて前記餌輸送溝２９を開け、これにより前記餌保存チャンバ２８の中の餌が自動的に前記餌溝２１の中に輸送される。
【００１３】
有益なまた例を示すように、前記ロッキング装置１００は前記昇降溝１２と相通し、且つ下方に開口した伝動溝３０を含み、前記伝動溝３０の中には下端が前記伝動溝３０の中に挿入される伝動ブロック３１がスライドできるように設けられ、前記伝動ブロック３１の右端面には第一復帰部品３２が設けあれ、前記伝動溝３０の左側には伝動回転溝３４が相通するように設けられ、前記伝動回転溝３４の中には伝動転輪３６が伝動回転軸３５を通じて回転できるように設けられ、前記案内溝１６の下側には動力転換装置６００が設けられ、
前記バルブ制御装置２００は前記水溝１１の下壁と相通するプレス溝３７を含み、前記連結ブロック１８の下端が前記プレス溝３７の中に挿入され、且つ前記プレス溝３７の下壁との間にはプレスばね３９が固定的に連結され、前記連結ブロック１８の左右両側の下端には開口が逆であるストップ溝３８が固定的に設置され、前記プレス溝３７の右側には緩和回転溝４０が相通するように設置され、前記緩和回転溝４０の中には左端が前記連結ブロック１８と噛み合って連結される回転歯車４１が回転できるように設けられ、前記緩和回転溝４０の中の端壁には前記回転歯車４１と当接する緩和摩擦マット５１が固定的に設置され、前記プレス溝３７にはスライドバー溝４２が左右対称に設置され、前記スライドバー溝４２の中には相対している一端が前記ストップ溝３８の中に挿入される連結スライドバー４３がスライドできるように設けられ、前記連結スライバー４３の上端面には第二復帰部品４４が設けられ、前記スライドバー溝４２と前記ガイド溝１６との間にはバルブ制御スライド溝４５が連通するように設けられ、前記バルブ制御スライド溝４５の中にはバルブ制御スライドブロック４６がスライドできるように設けられ、前記バルブ制御スライドブロック４６の下端と前記バルブ制御スライド溝４５の下壁との間には押圧ばね４７が固定的に連結され、前記バルブ制御スライドブロック４６の中には左右に貫通した斜面溝４８が設けられ、前記案内溝１６の上側には空溝５０が相通するように設けられ、前記バルブ制御スライドブロック４６の上端が前記空溝５０の中に挿入され、前記バルブ制御スライドブロック４６の上端には左右に貫通した流通溝４９が設けられる。
【００１４】
有益なまた例を示すように、前記動力転換装置６００は動力モータ５２を含み、前記動力モータ５２の右端には動力回転軸５３が伝動できるように連結され、前記動力モータ５２の右側には傘歯車チャンバ５４が設けられ、前記動力回転軸５３が前記傘歯車チャンバ５４の中に挿入され、且つ前記動力回転軸５３には第一傘歯車５５が固定的に設置され、前記動力モータ５２の左端には動力スプライン軸５６が伝動できるように連結され、前記動力モータ５２の左側には転換溝５７が設けられ、前記転換溝５７の中には転換スライドブロック５８がスライドできるように設けられ、前記転換スライドブロック５８の中にはスプラインスリーブ５９が回転できるように設けられ、前記動力スプライン軸５６の左端が前記転換溝５７の中に挿入され、且つ前記スプラインスリーブ５９とスプラインによって連結され、前記転換溝５７の上側には連結スライド溝６０が相通するように設けられ、前記転換スライドブロック５８の上端には前記連結スライド溝６０の中に挿入される連結スライドブロック６１が固定的に設置され、前記連結スライド溝６０の上側にはスライド装置４００が設置され、前記スプラインスリーブ５９の左端が前記伸縮装置５００とスプラインによって連結され、
前記スライド装置４００は右側が前記バルブ制御スライド溝４５と相通し、且つ下側が前記連結スライド溝６０と連通するスライドチャンバ６２を含み、前記スライドチャンバ６２の中には下端が前記連結スライドブロック６１と固定的に連結されるスライドブロック６３がスライドできるように設けられ、前記スライドブロック６３の左端と前記スライドチャンバ６２の左壁との間には連結ばね６４が固定的に連結され、前記スライドチャンバ６２の上側には噛合溝６５が相通するように設けられ、前記噛合溝６５の中には下端が前記スライドブロック６３の上端面と噛み合って連結される噛合歯車６７が噛合回転軸６６によって回転できるように設けられ、前記噛合回転軸６６と前記伝動回転軸３５とがベルトによって連結され、前記スライドブロック６３の右端壁の中には右方に開口した第二噛合チャンバ６８が設置され、前記第二噛合チャンバ６８の中には右端が前記バルブ制御スライドブロック４６と噛み合って連結できる伝動歯車６９が回転できるように設けられ、前記伝動歯車６９の前端面には第二傘歯車７０が固定的に設けられ、前記第二噛合チャンバ６８の中には前記第二傘歯車７０の前端面と噛み合って連結される第三傘歯車７１が連結回転軸７２によって回転できるように設けられ、前記スライドチャンバ６２と前記傘歯車チャンバ５４との間には連結溝７３が連通するように設けられ、前記連結回転軸７２の下端が前記連結溝７３を貫通して前記傘歯車チャンバ５４の中に挿入され、且つ前記連結回転軸７２の下端には前記第一傘歯車５５と噛み合って連結される第四傘歯車７４が固定的に設置され、
前記伸縮装置５００は前記転換溝５７と相通した同期ベルト溝７５を含み、前記同期ベルト溝７５の中には同期プーリ７７が上下対称に設けられ、前記同期プーリ７７の間が同期ベルト７８によって伝動できるように連結され、上側の前記同期プーリ７７の軸心の中には左端が前記同期ベルト溝７５の左端壁と回転できるように連結される枢軸７６が固定的に設置され、前記枢軸７６の右端が前記転換溝５７の中に挿入され、且つ前記スプラインスリーブ５９とスプラインによって連結され、下側の前記同期プーリ７７の軸心のところには左端が前記同期ベルト溝７５の左端壁と回転できるように連結されるプーリ回転軸８０が固定的に設置され、前記同期ベルト溝７５の右側には上方に開口した、前記収縮チャンバ１９と相通した伸縮回転溝８１が設けられ、前記伸縮回転溝８１と前記同期ベルト溝７５との間には回転溝７９が連通するように設けられ、前記プーリ回転軸８０の右端が前記伸縮回転溝８１の中に挿入され、且つ前記プーリ回転軸８０の右端には第五傘歯車８２が固定的に設置され、前記第五傘歯車８２の後端面には第六傘歯車８３が噛み合って連結され、前記第六傘歯車８３の後端面には上端が前記移動茶碗２０と噛み合って連結される連結歯車８４が固定的に設置される。
【００１５】
有益なまた例を示すように、前記封閉装置３００は前記餌輸送溝２９と相通した封閉スライド溝８５を含み、前記封閉スライド溝８５の中には前記餌輸送溝２９を貫通した封閉板８６がスライドできるように設けられ、前記封閉板８６の右端面には右端が前記封閉スライド溝８５の右端壁と固定的に連結される圧出ばね８７が固定的に設けられ、前記封閉板８６の中には上下に貫通し、且つ横断面の大きさが前記餌輸送溝２９と同じの貫通溝８８が設置され、前記封閉板８６の左端面には引縄８９が固定的に設置され、前記封閉スライド溝８５の左側には糸巻き溝９０が相通するように設けられ、前記糸巻き溝９０の中には糸巻き輪９１が回転できるように設けられ、前記糸巻き溝９０の下側と前記収縮チャンバ１９との間にはＴ型溝９２が連通するように設置され、前記Ｔ型溝９２の中には下端が前記収縮チャンバ１９の中に挿入されるプッシュブロック９３がスライドできるように設けられ、前記引縄８９の下端が前記糸巻き輪９１を避けて前記Ｔ型溝９２の中に挿入され、且つ前記プッシュブロック９３の上端壁と固定的に連結され、前記Ｔ型溝９２の中の前記プッシュブロック９３の右端面には右端が前記Ｔ型溝９２の右端壁と固定的に連結される復帰ばね９４が固定的に設置される。
【００１６】
初期状態にある時、前記貯水チャンバ１５の中に水を保存しており、前記水溝１１において前記昇降溝１２の下側には水があり、前記餌保存チャンバ２８においてペット餌を保存しており、前記バルブ制御スライドブロック４６によって前記案内溝１６が閉じる状態にあり、前記第一傘歯車５５と前記第四傘歯車７４とが噛み合って連結されてなく、前記スライドブロク６３が前記スライドチャンバ６２の一番左側に位置し、前記スプラインスリーブ５９と前記枢軸７６と前記動力スプライン軸５６とがスプラインによって連結され、前記移動茶碗２０が前記収縮チャンバ１９の中に位置し、前記封閉板８６によって前記餌輸送溝２９が閉じる状態にある。
【００１７】
装置が作動する時、ペットが前記水溝１１で水を飲んでいる時、底部まで水がなくなると、下へ前記プレス板１７を押し、これにより前記連結ブロック１８が下降して前記スライドバー４３と連結して外側へ移動し、これにより前記バルブ制御スライドブロック４６が下降し、前記流通溝４９が前記案内溝１６と相通し、これにより前記貯水チャンバ１５の中の水を前記水溝１１の中に入らせ、前記プレス板１７を放すと、前記連結ブロック１８が前記回転歯車１４の作用を受けてゆっくりと上昇し、前記連結ブロック１８が初期位置に戻った時、前記連結スライドバー４３が前記第二復帰部品４４に作用を受けて向き合って移動すると、前記バルブ制御スライドブロック４６が上昇して前記案内溝１６を閉め、これにより前記貯水チャンバ１５の中の水の前記水溝１１への流れが止まり、ペットが知らず知らずのうちに前記プレス板１７を押し続ける時、前記貯水チャンバ１５の中の水が前記水溝１１の中に流れ続き、水位の上昇に従い、前記昇降板１３も上昇し、前記昇降板１３が上昇して前記昇降溝１２の一番上側まで着いた時、前記昇降板１３が前記伝動ブロック３１を押し上げて上昇させ、これにより前記伝動転輪３６が反時計回りに回転し、伝動ベルトによって前記噛合歯車６７が反時計回りに回転すると、前記伝動歯車６９と前記バルブ制御スライドブロック４６とが噛み合って連結されるようになるまで前記スライドブロック６３が右へ移動し、前記第四傘歯車７４と前記第一傘歯車５５とが噛み合って連結され、前記連結スライドブロック６１によって前記転換スライドブロック５８が右へ移動すると、前記枢軸７６が前記スプラインスリーブ５９との連結から離脱し、それから、前記動力モータ５２が作動して前記動力回転軸５３を駆動して回転させ、前記第一傘歯車５５によって前記第四傘歯車７４を回転させると、前記第三傘歯車７１が前記伝動歯車６９を駆動して回転させ、これにより前記バルブ制御スライドブロック４６が上昇して前記案内溝１６を閉め、これにより前記貯水チャンバ１５の中の水の前記水溝１１への流れが止まり、これにより水が溢れ出ることを防止し、前記水溝１１の中に水位が下降すると、前記伝動ブロック３１が前記固定ばね３３の作用を受けて初期位置まで下降すると、前記噛合歯車６７が逆方向に回転して前記スライドブロック６３を初期位置まで移動させ、ペットが進食しようとする時、前記動力モータ５２が作動して前記動力スプライン軸５６を駆動して回転させ、これにより前記同期プーリ７７が回転して前記同期ベルト７８によって前記プーリ回転軸８０を回転させ、これにより前記連結歯車８４が回転し、これにより前記移動茶碗２０が右へ外界空間まで移動し、前記移動茶碗２０の左端が前記プッシュブロック９３と当接して前記プッシュブロック９３を押し動かして右へ移動させる時、前記引縄８９によって前記封閉板８６を左へ移動させ、これにより前記貫通溝８８が前記餌輸送溝２９と相通し、これにより前記餌保存チャンバ２８の中のペット餌が前記餌溝２１の中に入り、前記餌保存チャンバ２８の中にある一定量の餌が前記餌溝２１の中に入った後、前記動力モータ５２が逆方向に回転し、これにより前記移動茶碗２０が左へ一定距離を移動した後で止まり、これにより前記移動茶碗２０が前記プッシュブロック９３との当接から離脱し、これにより前記封閉板８６が前記圧出ばね８７の作用を受けて右へ移動して前記餌輸送溝２９を閉め、ペットが前記餌溝２１の中の餌を食べ終わった後、前記動力モータ５２が逆方向に作動し、これにより前記移動茶碗２０が前記収縮チャンバ１９の中に移動し、装置が初期状態に戻る。
【００１８】
本発明の有益効果は：本発明は構造が簡単で、操作が便利で、倒立給水設置により、初期状態の時、ペットの茶碗には少量の水しかなく、子供やペットがぶつかって水をこぼして床が濡れてしまい、掃除しにくくなる上に滑って転ぶことを防止し、清潔面と安全面も考慮しており、その後、倒立構造において限界水位を設置することで、ペットによる誤操作の場合、装置内部構造によって貯水チャンバ内の水が水溝に流れ込み、溢れてしまうことを避け、また、水溝の下側には餌溝を設置しており、伸縮装置を通じて餌溝を押し出し、その過程で自動的に餌を餌溝に倒し、前後対称の移動スライドブロック及び移動転輪を通じて押し出された移動茶碗に三角におけるバランスを維持させ、装置の強固度を向上させ、この装置は上下層の方式を採用して水溝と餌溝を設置し。装置本体が占用する面積を節約し、また給水と給食を自動化させ、浪費を防止する上に使用にも便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020156459.tif 000003
【図２】
2020156459.tif 000004
【図３】
2020156459.tif 000005
【図４】
2020156459.tif 000006
【図５】
2020156459.tif 000007
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
本体を含み、前記本体の中には上方に開口した水溝が設けられ、前記水溝の外周には昇降溝が相通するように設けられ、前記昇降溝の左上側にはロッキング装置が設置され、前記昇降溝の中には昇降板がスライドできるように設けられ、前記昇降板の下端面の下側の左右両端と前記昇降溝の下壁との間には伸縮ばねが固定的に連結され、前記水溝の外周には環状貯水空間が設置され、前記貯水空間と前記水溝との間には左右対称の案内溝が連通するように設けられ、前記水溝の中にはプレス板が設けられ、前記プレス板の下端には連結ブロックが固定的に設置され、前記水溝の下側にはバルブ制御装置が設けられ、前記連結ブロックの下端と前記バルブ制御装置とが当接し、前記水溝の下側には右方に開口した収縮空間が設けられ、前記収縮空間の中には下端面が歯型である移動茶碗がスライドできるように設けられ、前記移動茶碗の中には上方に開口した餌溝が設けられ、前記収縮空間の前後端には開口が相対している移動スライド溝が対称のように設けられ、前記移動茶碗の前後端には前記移動スライド溝の中に挿入される移動ブロックが固定的に設置され、前記収縮空間の下側には下方に開口し、且つ右向きの開き溝が相通するように設置され、前記移動茶碗の下端には前記開き溝の中に挿入されるサポートブロックが固定的に設置され、前記サポートブロックの中には下方に開口した移動回転溝が設けられ、前記移動回転溝の中には移動転輪が回転できるように設けられ、前記収縮空間の上側には餌保存空間が設けられ、前記餌保存空間と前記収縮空間の間には餌輸送溝が連通するように設けられ、前記餌輸送溝の外周には封閉装置が設けられ、前記移動茶碗が右へ外界まで移動して前記封閉装置を作動させて前記餌輸送溝を開け、これにより前記餌保存空間の中の餌が自動的に前記餌溝の中に輸送されることを特徴とする新型のペット用茶碗。
【請求項２】
前記ロッキング装置は前記昇降溝と相通し、且つ下方に開口した伝動溝を含み、前記伝動溝の中には下端が前記伝動溝の中に挿入される伝動ブロックがスライドできるように設けられ、前記伝動ブロックの右端面には第一復帰部品が設けあれ、前記伝動溝の左側には伝動回転溝が相通するように設けられ、前記伝動回転溝の中には伝動転輪が伝動回転軸を通じて回転できるように設けられ、前記案内溝の下側には動力転換装置が設けられ、前記バルブ制御装置は前記水溝の下壁と相通するプレス溝を含み、前記連結ブロックの下端が前記プレス溝の中に挿入され、且つ前記プレス溝の下壁との間にはプレスばねが固定的に連結され、前記連結ブロックの左右両側の下端には開口が逆であるストップ溝が固定的に設置され、前記プレス溝の右側には緩和回転溝が相通するように設置され、前記緩和回転溝の中には左端が前記連結ブロックと噛み合って連結される回転歯車が回転できるように設けられ、前記緩和回転溝の中の端壁には前記回転歯車と当接する緩和摩擦マットが固定的に設置され、前記プレス溝にはスライドバー溝が左右対称に設置され、前記スライドバー溝の中には相対している一端が前記ストップ溝の中に挿入される連結スライドバーがスライドできるように設けられ、前記連結スライドバーの上端面には第二復帰部品が設けられ、前記スライドバー溝と前記案内溝との間にはバルブ制御スライド溝が連通するように設けられ、前記バルブ制御スライド溝の中にはバルブ制御スライドブロックがスライドできるように設けられ、前記バルブ制御スライドブロックの下端と前記バルブ制御スライド溝の下壁との間には押圧ばねが固定的に連結され、前記バルブ制御スライドブロックの中には左右に貫通した斜面溝が設けられ、前記案内溝の上側には空溝が相通するように設けられ、前記バルブ制御スライドブロックの上端が前記空溝の中に挿入され、前記バルブ制御スライドブロックの上端には左右に貫通した流通溝が設けられることを特徴とする請求項１に記載の新型のペット用茶碗。
【請求項３】
前記動力転換装置は動力モータを含み、前記動力モータの右端には動力回転軸が伝動できるように連結され、前記動力モータの右側には傘歯車空間が設けられ、前記動力回転軸が前記傘歯車空間の中に挿入され、且つ前記動力回転軸には第一傘歯車が固定的に設置され、前記動力モータの左端には動力スプライン軸が伝動できるように連結され、前記動力モータの左側には転換溝が設けられ、前記転換溝の中には転換スライドブロックがスライドできるように設けられ、前記転換スライドブロックの中にはスプラインスリーブが回転できるように設けられ、前記動力スプライン軸の左端が前記転換溝の中に挿入され、且つ前記スプラインスリーブとスプラインによって連結され、前記転換溝の上側には連結スライド溝が相通するように設けられ、前記転換スライドブロックの上端には前記連結スライド溝の中に挿入される連結スライドブロックが固定的に設置され、前記連結スライド溝の上側にはスライド装置が設置され、前記スプラインスリーブの左端が伸縮装置とスプラインによって連結され、
前記スライド装置は右側が前記バルブ制御スライド溝と相通し、且つ下側が前記連結スライド溝と連通するスライド空間を含み、前記スライド空間の中には下端が前記連結スライドブロックと固定的に連結されるスライドブロックがスライドできるように設けられ、前記スライドブロックの左端と前記スライド空間の左壁との間には連結ばねが固定的に連結され、前記スライド空間の上側には噛合溝が相通するように設けられ、前記噛合溝の中には下端が前記スライドブロックの上端面と噛み合って連結される噛合歯車が噛合回転軸によって回転できるように設けられ、前記噛合回転軸と前記伝動回転軸とがベルトによって連結され、前記スライドブロックの右端壁の中には右方に開口した第二噛合空間が設置され、前記第二噛合空間の中には右端が前記バルブ制御スライドブロックと噛み合って連結できる伝動歯車が回転できるように設けられ、前記伝動歯車の前端面には第二傘歯車が固定的に設けられ、前記第二噛合空間の中には前記第二傘歯車の前端面と噛み合って連結される第三傘歯車が連結回転軸によって回転できるように設けられ、前記スライド空間と前記傘歯車空間との間には連結溝が連通するように設けられ、前記連結回転軸の下端が前記連結溝を貫通して前記傘歯車空間の中に挿入され、且つ前記連結回転軸の下端には前記第一傘歯車と噛み合って連結される第四傘歯車が固定的に設置され、
前記伸縮装置は前記転換溝と相通した同期ベルト溝を含み、前記同期ベルト溝の中には同期プーリが上下対称に設けられ、前記同期プーリの間が同期ベルトによって伝動できるように連結され、上側の前記同期プーリの軸心の中には左端が前記同期ベルト溝の左端壁と回転できるように連結される枢軸が固定的に設置され、前記枢軸の右端が前記転換溝の中に挿入され、且つ前記スプラインスリーブとスプラインによって連結され、下側の前記同期プーリの軸心のところには左端が前記同期ベルト溝の左端壁と回転できるように連結されるプーリ回転軸が固定的に設置され、前記同期ベルト溝の右側には上方に開口した、前記収縮空間と相通した伸縮回転溝が設けられ、前記伸縮回転溝と前記同期ベルト溝との間には回転溝が連通するように設けられ、前記プーリ回転軸の右端が前記伸縮回転溝の中に挿入され、且つ前記プーリ回転軸の右端には第五傘歯車が固定的に設置され、前記第五傘歯車の後端面には第六傘歯車が噛み合って連結され、前記第六傘歯車の後端面には上端が前記移動茶碗と噛み合って連結される連結歯車が固定的に設置されることを特徴とする請求項２に記載の新型のペット用茶碗。
【請求項４】
前記封閉装置は前記餌輸送溝と相通した封閉スライド溝を含み、前記封閉スライド溝の中には前記餌輸送溝を貫通した封閉板がスライドできるように設けられ、前記封閉板の右端面には右端が前記封閉スライド溝の右端壁と固定的に連結される圧出ばねが固定的に設けられ、前記封閉板の中には上下に貫通し、且つ横断面の大きさが前記餌輸送溝と同じの貫通溝が設置され、前記封閉板の左端面には引縄が固定的に設置され、前記封閉スライド溝の左側には糸巻き溝が相通するように設けられ、前記糸巻き溝の中には糸巻き輪が回転できるように設けられ、前記糸巻き溝の下側と前記収縮空間との間にはＴ型溝が連通するように設置され、前記Ｔ型溝の中には下端が前記収縮空間の中に挿入されるプッシュブロックがスライドできるように設けられ、前記引縄の下端が前記糸巻き輪を避けて前記Ｔ型溝の中に挿入され、且つ前記プッシュブロックの上端壁と固定的に連結され、前記Ｔ型溝の中の前記プッシュブロックの右端面には右端が前記Ｔ型溝の右端壁と固定的に連結される復帰ばねが固定的に設置されることを特徴とする請求項１に記載の新型のペット用茶碗。
【手続補正２】
【補正対象書類名】明細書
【補正対象項目名】全文
【補正方法】変更
【補正の内容】
【発明の詳細な説明】
【技術分野】
【０００１】
本発明は食器デザイン技術分野に関し、具体的には新型のペット用茶碗に関する。
【背景技術】
【０００２】
現有のペット茶碗は構造が簡単で、水又は食べ物を放置するのに一つの開放式中空空間だけ設置し、使用する時、手動で水又は食べ物をペット用茶碗に加える。しかし、茶碗内の水を一回で飲み干せずまま放置することが多く、飲み残った水をそのまま放置する過程で、水溝の上には蓋がないので、埃などの雑物が入りやすく、水が汚くなり、水の浪費を招く。
また、安全面上では、ペット用茶碗に子供又はペットがぶつかると、茶碗内の水がこぼれ、床が濡れてしまい、地面に歩く人が滑って転ぶかもしれない。
また、ペットが進食している時も、手動でペットの餌を餌溝に入れる必要があり、餌袋からペット用茶碗の中に倒す時、餌が餌溝の外部に落ちることもある上に、全部手動で操ることも面倒くさく、一回の餌の量を把握しにくく、ペットが二匹もいる時、現有のペット用茶碗なら占有する面積が大きく、混雑感がある。
そのため、現有技術におけるペット用茶碗を改善し、ペット用茶碗の便利性と強固性を高めることが必要である。
【先行技術文献】
【特許文献】
【０００３】
【特許文献１】中国特許出願公開第103814830号明細書
【発明の概要】
【発明が解決しようとする課題】
【０００４】
本発明の目的は新型のペット用茶碗を提供し、既存の技術にある上記の欠陥を補うことにある。
【課題を解決するための手段】
【０００５】
本発明の新型のペット用茶碗は、本体を含み、前記本体の中には上方に開口した水溝が設けられ、前記水溝の外周には昇降溝が相通するように設けられ、前記昇降溝の左上側にはロッキング装置が設置され、前記昇降溝の中には昇降板がスライドできるように設けられ、前記昇降板の下端面の下側の左右両端と前記昇降溝の下壁との間には伸縮ばねが固定的に連結され、前記水溝の外周には環状貯水空間が設置され、前記貯水空間と前記水溝との間には左右対称の案内溝が連通するように設けられ、前記水溝の中にはプレス板が設けられ、前記プレス板の下端には連結ブロックが固定的に設置され、前記水溝の下側にはバルブ制御装置が設けられ、前記連結ブロックの下端と前記バルブ制御装置とが当接し、前記水溝の下側には右方に開口した収縮空間が設けられ、前記収縮空間の中には下端面が歯型である移動茶碗がスライドできるように設けられ、前記移動茶碗の中には上方に開口した餌溝が設けられ、前記収縮空間の前後端には開口が相対している移動スライド溝が対称のように設けられ、前記移動茶碗の前後端には前記移動スライド溝の中に挿入される移動ブロックが固定的に設置され、前記収縮空間の下側には下方に開口し、且つ右向きの開き溝が相通するように設置され、前記移動茶碗の下端には前記開き溝の中に挿入されるサポートブロックが固定的に設置され、前記サポートブロックの中には下方に開口した移動回転溝が設けられ、前記移動回転溝の中には移動転輪が回転できるように設けられ、前記収縮空間の上側には餌保存空間が設けられ、前記餌保存空間と前記収縮空間の間には餌輸送溝が連通するように設けられ、前記餌輸送溝の外周には封閉装置が設けられ、前記移動茶碗が右へ外界まで移動して前記封閉装置を作動させて前記餌輸送溝を開け、これにより前記餌保存空間の中の餌が自動的に前記餌溝の中に輸送される。
【０００６】
さらなる技術プラントして、前記ロッキング装置は前記昇降溝と相通し、且つ下方に開口した伝動溝を含み、前記伝動溝の中には下端が前記伝動溝の中に挿入される伝動ブロックがスライドできるように設けられ、前記伝動ブロックの右端面には第一復帰部品が設けあれ、前記伝動溝の左側には伝動回転溝が相通するように設けられ、前記伝動回転溝の中には伝動転輪が伝動回転軸を通じて回転できるように設けられ、前記案内溝の下側には動力転換装置が設けられ、
前記バルブ制御装置は前記水溝の下壁と相通するプレス溝を含み、前記連結ブロックの下端が前記プレス溝の中に挿入され、且つ前記プレス溝の下壁との間にはプレスばねが固定的に連結され、前記連結ブロックの左右両側の下端には開口が逆であるストップ溝が固定的に設置され、前記プレス溝の右側には緩和回転溝が相通するように設置され、前記緩和回転溝の中には左端が前記連結ブロックと噛み合って連結される回転歯車が回転できるように設けられ、前記緩和回転溝の中の端壁には前記回転歯車と当接する緩和摩擦マットが固定的に設置され、前記プレス溝にはスライドバー溝が左右対称に設置され、前記スライドバー溝の中には相対している一端が前記ストップ溝の中に挿入される連結スライドバーがスライドできるように設けられ、前記連結スライドバーの上端面には第二復帰部品が設けられ、前記スライドバー溝と前記案内溝との間にはバルブ制御スライド溝が連通するように設けられ、前記バルブ制御スライド溝の中にはバルブ制御スライドブロックがスライドできるように設けられ、前記バルブ制御スライドブロックの下端と前記バルブ制御スライド溝の下壁との間には押圧ばねが固定的に連結され、前記バルブ制御スライドブロックの中には左右に貫通した斜面溝が設けられ、前記案内溝の上側には空溝が相通するように設けられ、前記バルブ制御スライドブロックの上端が前記空溝の中に挿入され、前記バルブ制御スライドブロックの上端には左右に貫通した流通溝が設けられる。
【０００７】
さらなる技術プラントして、前記動力転換装置は動力モータを含み、前記動力モータの右端には動力回転軸が伝動できるように連結され、前記動力モータの右側には傘歯車空間が設けられ、前記動力回転軸が前記傘歯車空間の中に挿入され、且つ前記動力回転軸には第一傘歯車が固定的に設置され、前記動力モータの左端には動力スプライン軸が伝動できるように連結され、前記動力モータの左側には転換溝が設けられ、前記転換溝の中には転換スライドブロックがスライドできるように設けられ、前記転換スライドブロックの中にはスプラインスリーブが回転できるように設けられ、前記動力スプライン軸の左端が前記転換溝の中に挿入され、且つ前記スプラインスリーブとスプラインによって連結され、前記転換溝の上側には連結スライド溝が相通するように設けられ、前記転換スライドブロックの上端には前記連結スライド溝の中に挿入される連結スライドブロックが固定的に設置され、前記連結スライド溝の上側にはスライド装置が設置され、前記スプラインスリーブの左端が伸縮装置とスプラインによって連結され、
前記スライド装置は右側が前記バルブ制御スライド溝と相通し、且つ下側が前記連結スライド溝と連通するスライド空間を含み、前記スライド空間の中には下端が前記連結スライドブロックと固定的に連結されるスライドブロックがスライドできるように設けられ、前記スライドブロックの左端と前記スライド空間の左壁との間には連結ばねが固定的に連結され、前記スライド空間の上側には噛合溝が相通するように設けられ、前記噛合溝の中には下端が前記スライドブロックの上端面と噛み合って連結される噛合歯車が噛合回転軸によって回転できるように設けられ、前記噛合回転軸と前記伝動回転軸とがベルトによって連結され、前記スライドブロックの右端壁の中には右方に開口した第二噛合空間が設置され、前記第二噛合空間の中には右端が前記バルブ制御スライドブロックと噛み合って連結できる伝動歯車が回転できるように設けられ、前記伝動歯車の前端面には第二傘歯車が固定的に設けられ、前記第二噛合空間の中には前記第二傘歯車の前端面と噛み合って連結される第三傘歯車が連結回転軸によって回転できるように設けられ、前記スライド空間と前記傘歯車空間との間には連結溝が連通するように設けられ、前記連結回転軸の下端が前記連結溝を貫通して前記傘歯車空間の中に挿入され、且つ前記連結回転軸の下端には前記第一傘歯車と噛み合って連結される第四傘歯車が固定的に設置され、
前記伸縮装置は前記転換溝と相通した同期ベルト溝を含み、前記同期ベルト溝の中には同期プーリが上下対称に設けられ、前記同期プーリの間が同期ベルトによって伝動できるように連結され、上側の前記同期プーリの軸心の中には左端が前記同期ベルト溝の左端壁と回転できるように連結される枢軸が固定的に設置され、前記枢軸の右端が前記転換溝の中に挿入され、且つ前記スプラインスリーブとスプラインによって連結され、下側の前記同期プーリの軸心のところには左端が前記同期ベルト溝の左端壁と回転できるように連結されるプーリ回転軸が固定的に設置され、前記同期ベルト溝の右側には上方に開口した、前記収縮空間と相通した伸縮回転溝が設けられ、前記伸縮回転溝と前記同期ベルト溝との間には回転溝が連通するように設けられ、前記プーリ回転軸の右端が前記伸縮回転溝の中に挿入され、且つ前記プーリ回転軸の右端には第五傘歯車が固定的に設置され、前記第五傘歯車の後端面には第六傘歯車が噛み合って連結され、前記第六傘歯車の後端面には上端が前記移動茶碗と噛み合って連結される連結歯車が固定的に設置される。
【０００８】
さらなる技術プラントして、前記封閉装置は前記餌輸送溝と相通した封閉スライド溝を含み、前記封閉スライド溝の中には前記餌輸送溝を貫通した封閉板がスライドできるように設けられ、前記封閉板の右端面には右端が前記封閉スライド溝の右端壁と固定的に連結される圧出ばねが固定的に設けられ、前記封閉板の中には上下に貫通し、且つ横断面の大きさが前記餌輸送溝と同じの貫通溝が設置され、前記封閉板の左端面には引縄が固定的に設置され、前記封閉スライド溝の左側には糸巻き溝が相通するように設けられ、前記糸巻き溝の中には糸巻き輪が回転できるように設けられ、前記糸巻き溝の下側と前記収縮空間との間にはＴ型溝が連通するように設置され、前記Ｔ型溝の中には下端が前記収縮空間の中に挿入されるプッシュブロックがスライドできるように設けられ、前記引縄の下端が前記糸巻き輪を避けて前記Ｔ型溝の中に挿入され、且つ前記プッシュブロックの上端壁と固定的に連結され、前記Ｔ型溝の中の前記プッシュブロックの右端面には右端が前記Ｔ型溝の右端壁と固定的に連結される復帰ばねが固定的に設置される。
【発明の効果】
【０００９】
本発明の有益効果は：本発明は構造が簡単で、操作が便利で、倒立給水設置により、初期状態の時、ペットの茶碗には少量の水しかなく、子供やペットがぶつかって水をこぼして床が濡れてしまい、掃除しにくくなる上に滑って転ぶことを防止し、清潔面と安全面も考慮しており、その後、倒立構造において限界水位を設置することで、ペットによる誤操作の場合、装置内部構造によって貯水空間内の水が水溝に流れ込み、溢れてしまうことを避け、また、水溝の下側には餌溝を設置しており、伸縮装置を通じて餌溝を押し出し、その過程で自動的に餌を餌溝に倒し、前後対称の移動スライドブロック及び移動転輪を通じて押し出された移動茶碗に三角におけるバランスを維持させ、装置の強固度を向上させ、この装置は上下層の方式を採用して水溝と餌溝を設置し。装置本体が占用する面積を節約し、また給水と給食を自動化させ、浪費を防止する上に使用にも便利である。
【図面の簡単な説明】
【００１０】
【図１】図１は本発明の新型のペット用茶碗の内部全体構造概略図
【図２】図２は図１のＡの拡大構造概略図
【図３】図３は図１のＢの拡大構造概略図
【図４】図４は図１のＣの拡大構造概略図
【図５】図５は図１のＤ−Ｄ方向の拡大構造概略図
【発明を実施するための形態】
【００１１】
下記に図１〜５を合わせて本発明について詳しく説明する。意思疎通の便利を図って、下記に記載の上下左右前後方向は図１の投影関係の上下左右前後方向と一致している。
【００１２】
図１〜５を参照し、本発明の新型のペット用茶碗は、本体１０を含み、前記本体１０の中には上方に開口した水溝１１が設けられ、前記水溝１１の外周には昇降溝１２が相通するように設けられ、前記昇降溝１２の左上側にはロッキング装置１００が設置され、前記昇降溝１２の中には昇降板１３がスライドできるように設けられ、前記昇降板１３の下端面の下側の左右両端と前記昇降溝１２の下壁との間には伸縮ばね１４が固定的に連結され、前記水溝１１の外周には環状貯水空間１５が設置され、前記貯水空間１５と前記水溝１１との間には左右対称の案内溝１６が連通するように設けられ、前記水溝１１の中にはプレス板１７が設けられ、前記プレス板１７の下端には連結ブロック１８が固定的に設置され、前記水溝１１の下側にはバルブ制御装置２００が設けられ、前記連結ブロック１８の下端と前記バルブ制御装置２００とが当接し、前記水溝１１の下側には右方に開口した収縮空間１９が設けられ、前記収縮空間１９の中には下端面が歯型である移動茶碗２０がスライドできるように設けられ、前記移動茶碗２０の中には上方に開口した餌溝２１が設けられ、前記収縮空間１９の前後端には開口が相対している移動スライド溝２２が対称のように設けられ、前記移動茶碗２０の前後端には前記移動スライド溝２２の中に挿入される移動ブロック２３が固定的に設置され、前記収縮空間１９の下側には下方に開口し、且つ右向きの開き溝２４が相通するように設置され、前記移動茶碗２０の下端には前記開き溝２４の中に挿入されるサポートブロック２５が固定的に設置され、前記サポートブロック２５の中には下方に開口した移動回転溝２６が設けられ、前記移動回転溝２６の中には移動転輪２７が回転できるように設けられ、前記収縮空間１９の上側には餌保存空間２８が設けられ、前記餌保存空間２８と前記収縮空間１９の間には餌輸送溝２９が連通するように設けられ、前記餌輸送溝２９の外周には封閉装置３００が設けられ、前記移動茶碗２０が右へ外界まで移動して前記封閉装置３００を作動させて前記餌輸送溝２９を開け、これにより前記餌保存空間２８の中の餌が自動的に前記餌溝２１の中に輸送される。
【００１３】
有益なまた例を示すように、前記ロッキング装置１００は前記昇降溝１２と相通し、且つ下方に開口した伝動溝３０を含み、前記伝動溝３０の中には下端が前記伝動溝３０の中に挿入される伝動ブロック３１がスライドできるように設けられ、前記伝動ブロック３１の右端面には第一復帰部品３２が設けあれ、前記伝動溝３０の左側には伝動回転溝３４が相通するように設けられ、前記伝動回転溝３４の中には伝動転輪３６が伝動回転軸３５を通じて回転できるように設けられ、前記案内溝１６の下側には動力転換装置６００が設けられ、
前記バルブ制御装置２００は前記水溝１１の下壁と相通するプレス溝３７を含み、前記連結ブロック１８の下端が前記プレス溝３７の中に挿入され、且つ前記プレス溝３７の下壁との間にはプレスばね３９が固定的に連結され、前記連結ブロック１８の左右両側の下端には開口が逆であるストップ溝３８が固定的に設置され、前記プレス溝３７の右側には緩和回転溝４０が相通するように設置され、前記緩和回転溝４０の中には左端が前記連結ブロック１８と噛み合って連結される回転歯車４１が回転できるように設けられ、前記緩和回転溝４０の中の端壁には前記回転歯車４１と当接する緩和摩擦マット５１が固定的に設置され、前記プレス溝３７にはスライドバー溝４２が左右対称に設置され、前記スライドバー溝４２の中には相対している一端が前記ストップ溝３８の中に挿入される連結スライドバー４３がスライドできるように設けられ、前記連結スライドバー４３の上端面には第二復帰部品４４が設けられ、前記スライドバー溝４２と前記案内溝１６との間にはバルブ制御スライド溝４５が連通するように設けられ、前記バルブ制御スライド溝４５の中にはバルブ制御スライドブロック４６がスライドできるように設けられ、前記バルブ制御スライドブロック４６の下端と前記バルブ制御スライド溝４５の下壁との間には押圧ばね４７が固定的に連結され、前記バルブ制御スライドブロック４６の中には左右に貫通した斜面溝４８が設けられ、前記案内溝１６の上側には空溝５０が相通するように設けられ、前記バルブ制御スライドブロック４６の上端が前記空溝５０の中に挿入され、前記バルブ制御スライドブロック４６の上端には左右に貫通した流通溝４９が設けられる。
【００１４】
有益なまた例を示すように、前記動力転換装置６００は動力モータ５２を含み、前記動力モータ５２の右端には動力回転軸５３が伝動できるように連結され、前記動力モータ５２の右側には傘歯車空間５４が設けられ、前記動力回転軸５３が前記傘歯車空間５４の中に挿入され、且つ前記動力回転軸５３には第一傘歯車５５が固定的に設置され、前記動力モータ５２の左端には動力スプライン軸５６が伝動できるように連結され、前記動力モータ５２の左側には転換溝５７が設けられ、前記転換溝５７の中には転換スライドブロック５８がスライドできるように設けられ、前記転換スライドブロック５８の中にはスプラインスリーブ５９が回転できるように設けられ、前記動力スプライン軸５６の左端が前記転換溝５７の中に挿入され、且つ前記スプラインスリーブ５９とスプラインによって連結され、前記転換溝５７の上側には連結スライド溝６０が相通するように設けられ、前記転換スライドブロック５８の上端には前記連結スライド溝６０の中に挿入される連結スライドブロック６１が固定的に設置され、前記連結スライド溝６０の上側にはスライド装置４００が設置され、前記スプラインスリーブ５９の左端が伸縮装置５００とスプラインによって連結され、
前記スライド装置４００は右側が前記バルブ制御スライド溝４５と相通し、且つ下側が前記連結スライド溝６０と連通するスライド空間６２を含み、前記スライド空間６２の中には下端が前記連結スライドブロック６１と固定的に連結されるスライドブロック６３がスライドできるように設けられ、前記スライドブロック６３の左端と前記スライド空間６２の左壁との間には連結ばね６４が固定的に連結され、前記スライド空間６２の上側には噛合溝６５が相通するように設けられ、前記噛合溝６５の中には下端が前記スライドブロック６３の上端面と噛み合って連結される噛合歯車６７が噛合回転軸６６によって回転できるように設けられ、前記噛合回転軸６６と前記伝動回転軸３５とがベルトによって連結され、前記スライドブロック６３の右端壁の中には右方に開口した第二噛合空間６８が設置され、前記第二噛合空間６８の中には右端が前記バルブ制御スライドブロック４６と噛み合って連結できる伝動歯車６９が回転できるように設けられ、前記伝動歯車６９の前端面には第二傘歯車７０が固定的に設けられ、前記第二噛合空間６８の中には前記第二傘歯車７０の前端面と噛み合って連結される第三傘歯車７１が連結回転軸７２によって回転できるように設けられ、前記スライド空間６２と前記傘歯車空間５４との間には連結溝７３が連通するように設けられ、前記連結回転軸７２の下端が前記連結溝７３を貫通して前記傘歯車空間５４の中に挿入され、且つ前記連結回転軸７２の下端には前記第一傘歯車５５と噛み合って連結される第四傘歯車７４が固定的に設置され、
前記伸縮装置５００は前記転換溝５７と相通した同期ベルト溝７５を含み、前記同期ベルト溝７５の中には同期プーリ７７が上下対称に設けられ、前記同期プーリ７７の間が同期ベルト７８によって伝動できるように連結され、上側の前記同期プーリ７７の軸心の中には左端が前記同期ベルト溝７５の左端壁と回転できるように連結される枢軸７６が固定的に設置され、前記枢軸７６の右端が前記転換溝５７の中に挿入され、且つ前記スプラインスリーブ５９とスプラインによって連結され、下側の前記同期プーリ７７の軸心のところには左端が前記同期ベルト溝７５の左端壁と回転できるように連結されるプーリ回転軸８０が固定的に設置され、前記同期ベルト溝７５の右側には上方に開口した、前記収縮空間１９と相通した伸縮回転溝８１が設けられ、前記伸縮回転溝８１と前記同期ベルト溝７５との間には回転溝７９が連通するように設けられ、前記プーリ回転軸８０の右端が前記伸縮回転溝８１の中に挿入され、且つ前記プーリ回転軸８０の右端には第五傘歯車８２が固定的に設置され、前記第五傘歯車８２の後端面には第六傘歯車８３が噛み合って連結され、前記第六傘歯車８３の後端面には上端が前記移動茶碗２０と噛み合って連結される連結歯車８４が固定的に設置される。
【００１５】
有益なまた例を示すように、前記封閉装置３００は前記餌輸送溝２９と相通した封閉スライド溝８５を含み、前記封閉スライド溝８５の中には前記餌輸送溝２９を貫通した封閉板８６がスライドできるように設けられ、前記封閉板８６の右端面には右端が前記封閉スライド溝８５の右端壁と固定的に連結される圧出ばね８７が固定的に設けられ、前記封閉板８６の中には上下に貫通し、且つ横断面の大きさが前記餌輸送溝２９と同じの貫通溝８８が設置され、前記封閉板８６の左端面には引縄８９が固定的に設置され、前記封閉スライド溝８５の左側には糸巻き溝９０が相通するように設けられ、前記糸巻き溝９０の中には糸巻き輪９１が回転できるように設けられ、前記糸巻き溝９０の下側と前記収縮空間１９との間にはＴ型溝９２が連通するように設置され、前記Ｔ型溝９２の中には下端が前記収縮空間１９の中に挿入されるプッシュブロック９３がスライドできるように設けられ、前記引縄８９の下端が前記糸巻き輪９１を避けて前記Ｔ型溝９２の中に挿入され、且つ前記プッシュブロック９３の上端壁と固定的に連結され、前記Ｔ型溝９２の中の前記プッシュブロック９３の右端面には右端が前記Ｔ型溝９２の右端壁と固定的に連結される復帰ばね９４が固定的に設置される。
【００１６】
初期状態にある時、前記貯水空間１５の中に水を保存しており、前記水溝１１において前記昇降溝１２の下側には水があり、前記餌保存空間２８においてペット餌を保存しており、前記バルブ制御スライドブロック４６によって前記案内溝１６が閉じる状態にあり、前記第一傘歯車５５と前記第四傘歯車７４とが噛み合って連結されてなく、前記スライドブロク６３が前記スライド空間６２の一番左側に位置し、前記スプラインスリーブ５９と前記枢軸７６と前記動力スプライン軸５６とがスプラインによって連結され、前記移動茶碗２０が前記収縮空間１９の中に位置し、前記封閉板８６によって前記餌輸送溝２９が閉じる状態にある。
【００１７】
装置が作動する時、ペットが前記水溝１１で水を飲んでいる時、底部まで水がなくなると、下へ前記プレス板１７を押し、これにより前記連結ブロック１８が下降して前記スライドバー４３と連結して外側へ移動し、これにより前記バルブ制御スライドブロック４６が下降し、前記流通溝４９が前記案内溝１６と相通し、これにより前記貯水空間１５の中の水を前記水溝１１の中に入らせ、前記プレス板１７を放すと、前記連結ブロック１８が前記回転歯車１４の作用を受けてゆっくりと上昇し、前記連結ブロック１８が初期位置に戻った時、前記連結スライドバー４３が前記第二復帰部品４４に作用を受けて向き合って移動すると、前記バルブ制御スライドブロック４６が上昇して前記案内溝１６を閉め、これにより前記貯水空間１５の中の水の前記水溝１１への流れが止まり、ペットが知らず知らずのうちに前記プレス板１７を押し続ける時、前記貯水空間１５の中の水が前記水溝１１の中に流れ続き、水位の上昇に従い、前記昇降板１３も上昇し、前記昇降板１３が上昇して前記昇降溝１２の一番上側まで着いた時、前記昇降板１３が前記伝動ブロック３１を押し上げて上昇させ、これにより前記伝動転輪３６が反時計回りに回転し、伝動ベルトによって前記噛合歯車６７が反時計回りに回転すると、前記伝動歯車６９と前記バルブ制御スライドブロック４６とが噛み合って連結されるようになるまで前記スライドブロック６３が右へ移動し、前記第四傘歯車７４と前記第一傘歯車５５とが噛み合って連結され、前記連結スライドブロック６１によって前記転換スライドブロック５８が右へ移動すると、前記枢軸７６が前記スプラインスリーブ５９との連結から離脱し、それから、前記動力モータ５２が作動して前記動力回転軸５３を駆動して回転させ、前記第一傘歯車５５によって前記第四傘歯車７４を回転させると、前記第三傘歯車７１が前記伝動歯車６９を駆動して回転させ、これにより前記バルブ制御スライドブロック４６が上昇して前記案内溝１６を閉め、これにより前記貯水空間１５の中の水の前記水溝１１への流れが止まり、これにより水が溢れ出ることを防止し、前記水溝１１の中に水位が下降すると、前記伝動ブロック３１が前記固定ばね３３の作用を受けて初期位置まで下降すると、前記噛合歯車６７が逆方向に回転して前記スライドブロック６３を初期位置まで移動させ、ペットが進食しようとする時、前記動力モータ５２が作動して前記動力スプライン軸５６を駆動して回転させ、これにより前記同期プーリ７７が回転して前記同期ベルト７８によって前記プーリ回転軸８０を回転させ、これにより前記連結歯車８４が回転し、これにより前記移動茶碗２０が右へ外界空間まで移動し、前記移動茶碗２０の左端が前記プッシュブロック９３と当接して前記プッシュブロック９３を押し動かして右へ移動させる時、前記引縄８９によって前記封閉板８６を左へ移動させ、これにより前記貫通溝８８が前記餌輸送溝２９と相通し、これにより前記餌保存空間２８の中のペット餌が前記餌溝２１の中に入り、前記餌保存空間２８の中にある一定量の餌が前記餌溝２１の中に入った後、前記動力モータ５２が逆方向に回転し、これにより前記移動茶碗２０が左へ一定距離を移動した後で止まり、これにより前記移動茶碗２０が前記プッシュブロック９３との当接から離脱し、これにより前記封閉板８６が前記圧出ばね８７の作用を受けて右へ移動して前記餌輸送溝２９を閉め、ペットが前記餌溝２１の中の餌を食べ終わった後、前記動力モータ５２が逆方向に作動し、これにより前記移動茶碗２０が前記収縮空間１９の中に移動し、装置が初期状態に戻る。
【００１８】
本発明の有益効果は：本発明は構造が簡単で、操作が便利で、倒立給水設置により、初期状態の時、ペットの茶碗には少量の水しかなく、子供やペットがぶつかって水をこぼして床が濡れてしまい、掃除しにくくなる上に滑って転ぶことを防止し、清潔面と安全面も考慮しており、その後、倒立構造において限界水位を設置することで、ペットによる誤操作の場合、装置内部構造によって貯水空間内の水が水溝に流れ込み、溢れてしまうことを避け、また、水溝の下側には餌溝を設置しており、伸縮装置を通じて餌溝を押し出し、その過程で自動的に餌を餌溝に倒し、前後対称の移動スライドブロック及び移動転輪を通じて押し出された移動茶碗に三角におけるバランスを維持させ、装置の強固度を向上させ、この装置は上下層の方式を採用して水溝と餌溝を設置し。装置本体が占用する面積を節約し、また給水と給食を自動化させ、浪費を防止する上に使用にも便利である。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。